(57)【要約】【課題】現場での施工が容易であるだけでなく、主要部材や部品の点数と加工箇所が少なく、安価に製作することができる間仕切り用格子構造１を提供する。【解決手段】複数の格子ユニット２とを、左、右の縦枠３とを備えて構成される間仕切り用格子構造１であって、格子ユニット２は、上側横桟２ａと、下側横桟２ｂとの間に、複数の縦格子材２ｃを立設配置した構造体をなし、それぞれが上下に整列され、左、右の縦枠３に挟まれた状態で、左、右の縦枠３に固定されて組み立られる構造とした。【選択図】図１
2009287189.tif 000002
【特許請求の範囲】
【請求項１】
複数の格子ユニットと、左、右の縦枠とを備えて構成される間仕切り用格子構造であって、
上記格子ユニットは、上側横桟と、下側横桟との間に、複数の縦格子材を立設配置した構造体をなし、それぞれが上下に整列され、上記左、右の縦枠に挟まれた状態で、上記左、右の縦枠に固定されて組立てられる構造としたことを特徴とする間仕切り用格子構造。
【請求項２】
請求項１において、
上記格子ユニットは、最上段の構造体と、最下段の構造体と、それらの中間に位置させる中間の構造体とを組み合わせて成り、中間の構造体の上側横桟、下側横桟を、最上段の構造体の下側横桟、最下段の構造体の上側横桟にスライド嵌合させて上下に整列された状態に結合させる構造になっていることを特徴とする間仕切り用格子構造。
【請求項３】
請求項１または２において、
上記格子ユニットは、最上段の構造体と、最下段の構造体との間に、少なくとも１以上の中間の構造体とを組み合わせて構成されており、
上記最上段の構造体の上側横桟と、上記最下段の構造体の下側横桟とは、その少なくとも一方の前方に空所を設けた断面逆Ｌ字型に構成されていることを特徴とする間仕切り用格子構造。
【発明の詳細な説明】
【技術分野】
【０００１】
本発明は、例えば、パーティーションなどの建具として用いられる間仕切り用格子構造の改良に関する。
【背景技術】
【０００２】
従来、パーティーションなどの間仕切り構造は、高度な技術を有する熟練した指物大工が、現地で天然木材などからなる部材を組立てて製作していた。
【０００３】
このような間仕切り構造、は、一般に、材料の吟味や大工工事に高度な技術と熟練を必要とすること、大形品となり搬送など取扱いにくいことなどの短所があり、大量生産に不向きであった。
【０００４】
また、建具を製作出来る熟練工が少なくなり、製品が高価であるという問題があった。
【０００５】
そこで、扱いやすい大きさの基本ユニットを工場で製作し、現地では、この基本ユニットを連続結合して大形の間仕切り構造として構成するようにしたものが種々開発されている。
【０００６】
例えば、実用新案文献１には、プラスチック製の格子状基本ユニットを接続棒にて連続した形状に結合することにより、大形で、大量生産が可能な組立格子ユニット製建具が開示され提案されている。
【特許文献１】実用新案登録番号第３０４２００５号公報
【発明の開示】
【発明が解決しようとする課題】
【０００７】
しかしながら、上述の特許文献１に開示された間仕切り用格子構造では、何本もの接続棒を用意しなければならないなど主要部材や部品の点数が多くなるために、これらの管理がわずらわしいという問題があった。また、格子状基本ユニットと、これを連続した形状に結合するための接続棒との両方に溝部や突起部などの多数の加工を施さなければならず、それらの加工コストを考慮すると全体として必ずしも安価に製作できないという問題があった。
【０００８】
本発明は上記事情に鑑みてなされたものであり、現場での施工が容易であるだけでなく、現地における製作において、管理しなければならない主要部材や部品の点数を少なくして管理を簡素化することができる間仕切り用格子構造を提供することを目的としている。また、加工箇所を極力少なくして、安価に製作することができる間仕切り用格子構造を提供することを目的としている。
【課題を解決するための手段】
【０００９】
上記目的を解決するために、請求項１に記載の間仕切り用格子構造は、複数の格子ユニットと、左、右の縦枠とを備えて構成される間仕切り用格子構造であって、上記格子ユニットは、上側横桟と、下側横桟との間に、複数の縦格子材を立設配置した構造体をなし、それぞれが上下に整列され、上記左、右の縦枠に挟まれた状態で、上記左、右の縦枠に固定されて組立てられる構造としたことを特徴とする間仕切り用格子構造である。
【００１０】
また、請求項２に記載の間仕切り用格子構造においては、上記格子ユニットは、最上段の構造体（格子ユニット）と、最下段の構造体（格子ユニット）と、それらの中間に位置させる中間の構造体（格子ユニット）とを組み合わせて成り、中間の構造体の上側横桟、下側横桟を、最上段の構造体の下側横桟、最下段の構造体の上側横桟にスライド嵌合させて上下に整列された状態に結合させる構造になっている。
【００１１】
また、請求項３に記載の間仕切り用格子構造においては、上記格子ユニットは、最上段の構造体（格子ユニット）と、最下段の構造体（格子ユニット）との間に、少なくとも１以上の中間の構造体（格子ユニット）とを組み合わせて構成されており、上記最上段の構造体の上側横桟と、上記最下段の構造体の下側横桟とは、その少なくとも一方の前方に空所を設けた断面逆Ｌ字型に構成されている。
【発明の効果】
【００１２】
請求項１に記載の間仕切り用格子構造によれば、格子材が予め、格子ユニットとして構成され、格子ユニットを固定具で左、右の縦枠に固定させて組み立てできるので、現場での施工が容易である。
【００１３】
また、格子ユニットが、上側横桟と、下側横桟との間に、複数の縦格子材を立設配置した構造体をなし、それぞれが上下に整列され、上記左、右の縦枠に挟まれた状態で、上記左、右の縦枠に固定されて組立てられる構造としているので、現地における製作において、管理しなければならない主要部材や部品の点数を少なくでき、これらの管理を簡素化することができる。また、加工箇所が少ないので、安価に製作することができる。
【００１４】
請求項２に記載の間仕切り用格子構造によれば、中間の構造体の上側横桟、下側横桟を、最上段の構造体の下側横桟、最下段の構造体の上側横桟にスライド嵌合させて上下に整列された状態に結合させる構造になっているので、現場での施工がより容易となる。
【００１５】
また、中間の構造体の上側横桟、下側横桟が、最上段の構造体の下側横桟、最下段の構造体の上側横桟の中に嵌合されて、外側に露出しないので、外観上すっきりしたものにすることができる。
【００１６】
請求項３に記載の間仕切り用格子構造によれば、最上段の格子ユニット、最下段の格子ユニットの空所に、天井面、床面に設けた横桟などを収容して、固定し隠蔽できるので、強固に取り付けができ、見栄えもよい。空所は必要に応じて、格子ユニットとは別体のカバー材で隠蔽することができる。
【発明を実施するための最良の形態】
【００１７】
以下、添付図面を参照しながら本発明の好ましい実施の一形態について説明する。図１は、本発明の第１の実施形態の間仕切り用格子構造１の構成を示す分解斜視図であり、図２は、間仕切り用格子構造１の構成を示す図１のII−II縦断面図である。また、図３は、ダボ４とダボ孔５の構成を示す分解斜視図であり、最上段の構造体６の上側横桟２ａと右の縦枠３との連結要領を示している。
【００１８】
図１に示すように、間仕切り用格子構造１は、複数の格子ユニット２を、左、右の縦枠３で挟み込んで構成されている。
【００１９】
上記格子ユニット２は、上側横桟２ａと、下側横桟２ｂとの間に、複数の縦格子材２ｃを立設配置して一体とした構造体をなし、それぞれ上下に整列された状態に配列されて、左、右の縦枠３に図３に示すように、ダボ４とダボ孔５を用いて、固定して組み立られる構造としている。
【００２０】
また、この間仕切り用格子構造１は、最上段の構造体をなす格子ユニット６と、最下段の構造体をなす格子ユニット７との間に、少なくとも１以上の中間の構造体をなす格子ユニット８とを組み合わせて構成されている。
【００２１】
ここで、図３を参照して、各構造体の連結固定の例として、最上段の構造体６の上側横桟２ａと右の縦枠３との連結の場合を説明する。ダボ４は、図３に示すように、一端が、右の縦枠３に設けられた孔５ａに圧入され、他端が最上段の構造体６の上側横桟２ａに設けられた孔５ｂに圧入される。そしてその後、孔５ｃに挿入され、ドライバで右回りに回転される係止具４ａで、ダボ４の頭部４ｂが係止されることにより、最上段の構造体６の上側横桟２ａと右の縦枠３とが固着される。
【００２２】
その他の、最上段の構造体６および最下段の構造体７の上側横桟２ａおよび下側横桟２ｂと、左、右の縦枠とのダボ４による連結要領は同様である。
【００２３】
また、この間仕切り用格子構造１は、図１、図２に示すように最上段の構造体６の上側横桟２ａと、最下段の構造体７の下側横桟２ｂとは、その少なくとも一方の前方に空所９を設けた断面逆Ｌ字型に構成されている。
【００２４】
この空所９は、格子ユニット２とは別体に設けられ、最上段の構造体６の上側横桟２ａと最下段の構造体７の下側横桟２ｂにそれぞれねじ９ｂで固定されるカバー材９ａで隠蔽されている。
【００２５】
このように、最上段の格子ユニット６、最下段の格子ユニット７の空所９に、天井面に設けた横桟１６、床面に設けた横桟１７などを収容して、固定し隠蔽できるので、強固に取り付けができ、見栄えもよい。空所９は必要に応じて、格子ユニット２とは別体のカバー材９ａで隠蔽することができる。
【００２６】
次に、図４から図６を参照して、第１の実施形態の間仕切り用格子構造１の施工方法について説明する。図４から図６は、現地での施工要領を示す斜視図であり、図４は、最上段の格子ユニット６と最下段の格子ユニット７とが左、右の縦枠３に固定された状態を示している。図５は、中間の格子ユニット８を中間の構造体を取り付ける要領を示す斜視図である。また、図６は、第１の実施形態における組み立て完成状態を示す斜視図である。
【００２７】
第１の実施形態の間仕切り用格子構造１においては、まず、図４に示すように、最上段の格子ユニット６と最下段の格子ユニット７とが左、右の縦枠３に既に述べたように、ダボ４を用いて固定される。
【００２８】
次に、図５に示すように、中間の構造体８が最上段の格子ユニット６と最下段の格子ユニット７との間に挿入される。
【００２９】
そして、図６に示すように、最上段の格子ユニット６と最下段の格子ユニット７との間に挿入された中間の構造体８がねじ１０を螺入させて固定され、組み立てが完了する。
【００３０】
以上説明したように、本発明の実施の形態に係る間仕切り用格子構造１によれば、格子材が予め、格子ユニット２として構成され、格子ユニット２をダボ４からなる固定具で左、右の縦枠３に固定させて組み立てできるので、現場での施工が容易である。
【００３１】
また、格子ユニット２が、上下に整列された状態に配列されて、それぞれの上側横桟２ａと、下側横桟２ｂとが左、右の縦枠３に連結固定して組み立られる構造としているので、現地における製作において、管理しなければならない主要部材や部品の点数を少なくし管理を簡素化することができる。また、加工箇所が少ないので、安価に製作することができる。
【００３２】
さらに、最上段の格子ユニット６、最下段の格子ユニット７の空所９に、天井面に設けた横桟１６、床面に設けた横桟１７などを収容して、固定し隠蔽できるので、強固に取り付けができ、見栄えもよい。空所９は必要に応じて、格子ユニット２とは別体のカバー材９ａで隠蔽することができる。
【００３３】
次に図７〜図１２を参照して、本発明の第２の実施形態に係る間仕切り用格子構造１１について説明する。図７は、本発明の第２の実施形態の間仕切り用格子構造１１の構成を示す分解斜視図であり、図８は、間仕切り用格子構造１１の構成を示す図７のVIII−VIII縦断面図である。また、図９〜図１２は、現地での施工要領を示す斜視図であり、図９は、最上段の格子ユニット６と最下段の格子ユニット７とが左の縦枠３に固定された状態を、図１０は、中間の構造体８を取り付ける要領を示す斜視図である。図１１は、最上段の格子ユニット６と最下段の格子ユニット７とに右の縦枠３を固定する状態を示している。図１２は、間仕切り用格子構造の第２の実施形態における組み立て完成状態を示す斜視図である。
【００３４】
なお以下の説明では、本発明の第１の実施の形態に係る間仕切り用格子構造１と同様の部材には同一の符号を付し、重複する説明を省略するものとする。
【００３５】
第２の実施形態に係る間仕切り用格子構造１１においては、複数の格子ユニット２を、左、右の縦枠３で挟み込んで構成されている点は第１の実施形態に係る間仕切り用格子構造１と同様である。
【００３６】
間仕切り用格子構造１１は、最上段の構造体をなす格子ユニット６と、最下段の構造体をなす格子ユニット７と、それらの中間に位置させる中間の構造体をなす格子ユニット８とを組み合わせて成り、中間の構造体８の上側横桟８ａ、下側横桟８ｂを、最上段の構造体６の下側横桟２ｂ、最下段の構造体７の上側横桟２ａにスライド嵌合させて上下に整列された状態に結合させる構造になっている。すなわち、最上段の構造体６の下側横桟２ｂ、最下段の構造体７の上側横桟２ａとには、中間の構造体８の上側横桟８ａ、下側横桟８ｂを、スライド嵌合させて上下に整列された状態に結合させるための溝１２が設けられている。
【００３７】
そして、第２の実施形態の間仕切り用格子構造１１においては、まず、図９に示すように、最上段の格子ユニット６と最下段の格子ユニット７とが左の縦枠３に既に述べたように、ダボ４により固定される。
【００３８】
次に、図１０、図１１に示すように、中間の格子ユニット８を最上段の格子ユニット６と最下段の格子ユニット７の側端開口から挿入するようしてスライド嵌合させて上下に整列された状態に結合させる。
【００３９】
そして、図１１、図１２に示すように、右の縦枠３を、最上段の格子ユニット６と最下段の格子ユニット７とにダボ４を用いて固定し、組み立てが完了する。
【００４０】
このように、第２の実施形態に係る間仕切り用格子構造１１によれば、中間の構造体８の上側横桟８ａ、下側横桟８ｂを、最上段の構造体６の下側横桟２ｂ、最下段の構造体７の上側横桟２ａにスライド嵌合させて上下に整列された状態に結合させる構造になっているので、現場での施工がより容易となる。
【００４１】
また、中間の構造体８の上側横桟８ａ、下側横桟８ｂが、最上段の構造体６の下側横桟２ｂ、最下段の構造体７の上側横桟２ａの中に嵌合されて、外側に露出しないので、外観上すっきりしたものにすることができる。
【００４２】
なお、間仕切り用格子構造１１においては、最上段の格子ユニット６と最下段の格子ユニット７との間に挿入された中間の構造体８が必ずしも図７、図８に示すような嵌め合い構造になったものに限定されない。図１３は、第２の実施形態に係る間仕切り用格子構造１１の変形例である間仕切り用格子構造２１の縦断面図であり、嵌め合い構造の変形例を示している。間仕切り用格子構造２１においては、中間の構造体８の上側横桟８ａ、下側横桟８ｂは、断面Ｔ字状に形成され、これら断面Ｔ字状に形成された上側横桟８ａ、下側横桟８ｂは、最上段の構造体６の下側横桟２ｂ、最下段の構造体７の上側横桟２ａにそれぞれ設けられた抜け止め部２２に係止されることにより抜けが防止されている。このようなスライド嵌合構造も採用可能である。
【００４３】
上述した実施の形態は本発明の好ましい具体例を例示したものに過ぎず、本発明は上述した実施の形態に限定されない。
【００４４】
例えば、本発明は必ずしも図のように、最上段の構造体６、最下段の構造体７、中間の構造体８の３段に限定されない。最上段の構造体６と、最下段の構造体７との間に、少なくとも１以上の中間の構造体８とを組み合わせて構成されておれば、複数段設けたものであってもよいなど、種々の設計変更が可能である。
【００４５】
また、間仕切り用格子構造１においては、最上段の格子ユニット６と最下段の格子ユニット７との間に挿入された中間の構造体８が必ずしも図６に示すようにねじ１０で固定されるものに限定されない。その他の固定具が採用可能である。
【００４６】
また、格子ユニット２も、ダボ４とダボ孔５を用いて、左、右の枠に固着されるものに限定されず、その他の種々の公知の固定具が適宜採用可能なことはいうまでもない。
【００４７】
その他、本発明の特許請求の範囲内で種々の設計変更が可能であることはいうまでもない。
【図面の簡単な説明】
【００４８】
【図１】本発明の第１の実施形態の間仕切り用格子構造の構成を示す分解斜視図である。
【図２】第１の実施形態の間仕切り用格子構造の構成を示す図１のII−II縦断面図である。
【図３】ダボとダボ孔の構成を示す要部分解斜視図である。
【図４】第１の実施形態において、最上段の格子ユニットと最下段の格子ユニットとが左、右の縦枠に固定された状態を示す斜視図である。
【図５】第１の実施形態において、中間の構造体を取り付ける要領を示す斜視図である。
【図６】間仕切り用格子構造の第１の実施形態における組み立て完成状態を示す斜視図である。
【図７】本発明の第２の実施形態の間仕切り用格子構造の構成を示す分解斜視図である。
【図８】第２の実施形態の間仕切り用格子構造の間仕切り用格子構造の構成を示す図７のVIII−VIII縦断面図である。
【図９】第２の実施形態において、最上段の格子ユニットと最下段の格子ユニットとが左の縦枠に固定された状態を示す斜視図である。
【図１０】第２の実施形態において、中間の構造体を取り付ける要領を示す斜視図である。
【図１１】第２の実施形態において、最上段の格子ユニットと最下段の格子ユニットとに右の縦枠を固定する状態を示す斜視図である。
【図１２】間仕切り用格子構造の第２の実施形態における組み立て完成状態を示す斜視図である。
【図１３】第２の実施形態に係る間仕切り用格子構造の変形例の縦断面図であり、
【符号の説明】
【００４９】
１    間仕切り用格子構造
２    格子ユニット
２ａ  上側横桟
２ｂ  下側横桟
２ｃ  縦格子材
３    縦枠
４    ダボ
５    ダボ孔
６    最上段の構造体
７    最下段の構造体
８    中間の構造体
８ａ  中間の構造体の上側横桟
８ｂ  中間の構造体の下側横桟
９    空所
【図１】
2009287189.tif 000003
【図２】
2009287189.tif 000004
【図３】
2009287189.tif 000005
【図４】
2009287189.tif 000006
【図５】
2009287189.tif 000007
【図６】
2009287189.tif 000008
【図７】
2009287189.tif 000009
【図８】
2009287189.tif 000010
【図９】
2009287189.tif 000011
【図１０】
2009287189.tif 000012
【図１１】
2009287189.tif 000013
【図１２】
2009287189.tif 000014
【図１３】
2009287189.tif 000015